(57)【要約】      （修正有）【課題】港湾内に津波が来襲したとき海上空港や臨海部のコンビナートなどへの津波の直撃を防止する津波用防波堤を提供する。【解決手段】津波の直撃を阻止したい海上空港や臨海部の前面に、鉄鉱石や砕石４を内部に詰めたケーソン１を設置し、そのケーソン１の前面に津波が越えるのを阻止し、かつそれを貯えるだけの高さがあり、幅はケーソン１より広く、かつその底から海底に打ち込んだ杭５で津波の力に対抗できかるようにした内部をコンクリートで固めた壁型の防波堤３を連続して設置し、壁型の防波堤３の前面にも、上部が津波を受けたときに下部が前方に跳ね上がることを抑える役割を果たす、後方に設置したものとほぼ同じかまたは少し低いケーソン２を設置する。【選択図】図２
2019143455.tif 000002
【特許請求の範囲】
【請求項１】
津波の直撃を受ける海上空港や臨海部の沖の前面に、鉄鉱石や砕石を内部に詰めたケーソを設置し、
そのケーソンの前面に津波が越えるのを阻止し、かつそれを貯えるだけけの高さがあり、幅はケーソンより広く、かつその底から海底に打ち込んだ杭で津波の力に対抗できかるようにした内部をコンクリートで固めた壁型の防波堤を連続して設置し、
壁型の防波堤の前面にも、上部が津波を受けたときに下部が前方に跳ね上がることを抑える役割を果たす、後方に設置したものとほぼ同じかまたは少し低いケーソンを設置する、
ことを特長とする津波対策用防波堤
【請求項２】
前記のケーソンは高さが海底から海面上５〜１０メートルで、幅もほぼそれに等しく、長さは幅よりは多少長い形状のもので、
これはまず四方の側壁、底を構成する鋼板製パネルを製作し、船台でボルトなどで締め、あるいは一部溶接して組み立て、
内部にもケーソンの壁をコンクリートを流し込んで建造できるように鋼板のパネルを取り付け、ただし下端は、底に流し込んだコンクリートが全体に広がるように外殻鋼板の底の少し上で固定し、
その状態で底にコンクリートを内側の鋼板のパネルの少し上まで打設し、
それが固まった段階で側壁にコンクリートを半分程度の高さまで打設し、
それが完全に固まった段階で船台から海上に引き出し、曳航して設置予定場所でケーソン内部に海水を入れて海底に設置し、
次に側壁部分にコンクリートを上端まで打設し、
次にケーソン内部に鉄鉱石や砕石などを投入し、かつそれが上端まで投入し終るまでは上まで海水を注入して重量を最大限にしておく、
ことを特長とする請求項１に記載された津波対策用防波堤
【請求項３】
前記壁型の防波堤は高さが海面から少し上になる程度の鋼製パネルで外殻をボルトや溶接で船殻のように組み立てるが、
その場合接合部は簡単に防水対策を施し、
底の鋼板パネルには長手方向の中心ライン上に一定間隔で杭を海底に打ち込むことが出来るように高さ数メートルの鋼管を取り付け、
その底は板などで海水が入らないようにふさぎ、
次に底にコンクリートを鋼管の上部付近まで打設し、
次にそのコンクリートが固まった段階で船台から引き出して海面に浮かして設置場所まで曳航し、
次に鋼管に杭を挿入し、
次に海水を中にいれて海底に設置し、
次に鋼管の挿入した杭を海底に打ち込み、
次に海底に固定した鋼製の外殻に接するケーソンの側に同じ形状の半割りの上部外殻をボルトなどで固定し、
次に打ち込んだ杭に鋼鉄製の構造物の鋼管を挿入し、
次にコンクリートを下部の外殻の上端まで打設し、
次に海底に固定した壁型防波堤の外殻の手前側に半割りの外殻を上部に固定し
次にその中にコンクリートを上部から流し込んで全体を一体的に固める、
ことを特徴とする請求項１に記載された津波対策用防波堤
【発明の詳細な説明】
【技術分野】
【０００１】  本発明は津波が来襲したとき海上空港や臨海部のプラントなどを直撃しないよう、その前面の津波対策用防波の構築方法に関する。
【背景技術】
【０００２】  大阪湾、東京湾、伊勢湾の奥には海上空港や臨海部にコンビナートなどがあるが、これらは津波が来襲するとその直撃を受け甚大な被害を被る。その対策には前面に津波対策用の防波堤を建設することが効果があるが、その場所は水深が１０〜２メートルあり、かつ海底は軟弱でそこに海面からの高さが２０〜３０メートルは必要な防波堤の建設は容易ではない。
一般には海底が軟弱な状態では従来工法はまず捨石マウンドを形成しその上に大型ケーソンを据えつける方式であるが地震の振動で全体が崩壊する危険性が高い。また防波堤全体の強度が低下し津波で押し流されてしまう可能性も高い。
また海底が軟弱な場合、大量の捨石の投入が必要であるが津波が差し迫った場合、数年という短期間に最低でも２〜３キロメートルの長さの防波堤の基礎を構築することは難しい。防波堤を設置する位置の水深が２０メートルでケーソンを設置する捨石マウンドの高さを水深１０メートルと仮定すると、海面からの高さが３０メートルの防波堤を構築するにはケーソンの全高は４０メートルとなりそのような巨大なものは容易に現場に据えつけることはできない。あるいは現場でコンクリートを打設して建造するとしても完成後は重量が重くなりすぎ地震の振動で防波堤全体が崩壊する危険性も高い。
【発明の概要】
【発明が解決しようとする課題】
【０００３】  上述の問題に対し、本発明は水深が深い軟弱な場所に建設しても津波の来襲に対して十分耐えられ、かつ比較的短期間に建設できる津波用防波堤の構築を課題とする。
【課題を解決するための手段】
【０００４】  上述の課題を解決するための本発明のひとつの特徴に従った津波対策用防波堤は、津波の直撃を阻止したい海上空港や臨海部のプラントの前面に、直線状あるいは半円形上に津波を貯えるように数百メートルあるいは数キロメートルの長さで、比重の大な鉄鉱石や岩石を内部に充填して津波による押し流す力を阻止できる重量を有し、高さが水深プラス海面上５〜１０メートル、幅もほぼそれに等しく、長さは幅の１．５倍程度の箱形の外殻は鋼板のケーソンをまず設置する。
設置する場所の海底は多少掘り下げてへ泥などは取り除いておく。特に捨石などを敷きつめる必要はないが堤防設置場所はほぼ同じ高さに海底を均しておく。
次にそのケーソンの前面に津波が越えるのを阻止する幅がケーソンより広く、奥行きは３〜７メートル程度、かつ底から杭を海底に打ち込み、内部に鉄骨や鋼板などによる津波に耐える強度の鋼構造物をコンクリートで一体的に固めた天端が海面上２０〜３０メートルの壁型の防波堤を連続して設置する。【０００５】  壁型の防波堤の前面にも先に設置したものと同じ構造のケーソンを設置する。このケーソンの高さは後方のケーソンより少し低くてもよい。このように前後二つのケーソンとその間の壁型の防波堤で津波をあたかもダムのように貯え阻止する。【０００６】  本発明のひとつの特徴に従ったケーソンは高さが海底から海面上５〜１０メートルで、幅もほぼ全高に等しく、長さは全幅の約１．５倍のものである。このコンクリートのケーソンはまず四方の側壁、底を構成する鋼板製パネルを船台でボルトで組み立てるか溶接し、または鉄骨のフレームにボルトなどで取り付け、内部にもケーソンの壁を構築するように鋼板のパネルを取り付ける。【０００７】  ただし底にコンクリートを流し込んだ場合、底全体にコンクリートが広がるように内側の鋼板パネルは下端が底に着かない位置で外殻に固定する。その状態でコンクリートを内側の鋼板パネルの少し上まで打設し、次にそれが固まった状態で側壁部分の半分程度の高さまで打設する。それが完全に固まった段階で海上に引き出し、曳航し設置予定場所でケーソン内部に海水を入れて海底に設置する。
こうする理由はケーソン全体をコンクリートを打設して一気に製作すると重量が重くなり船台から引き出し曳航することが容易ではなくなることと、曳航するとき重心が高くなり横転の危険性が高まる点である。【０００８】  またケーソンの外殻を鋼板パネルをボルトで締めた簡単な構造とするのは曳航する時にはコンクリート船の状態であり、鋼板の外殻全体には防水性は要求されないことによる。海底に設置した後は側壁に海水の入った状態でコンクリートを打設してケーソンは完成する。
鋼板パネルをボルト締めとする別の理由は船台で短期間にケーソンの外殻を組み立てられるようにするためである。鋼板パネルは海外の造船所や鉄工所でも短期間に大量に製造でき、津波用防波堤の計画場所付近の造船所で一度に何台も組み立てることができる。【０００９】  ケーソンの側壁部分にコンクリートを上端まで打設し固まった後は内部に比重の大な鉄鉱石や砕石などを投入する。ただしそれが完了するまでに時間を要する場合にはケーソンの上端まで海水や土砂を注入して重量を最大限にしておくことも効果がある。【００１０】  壁型防波堤は高さが海面から少し上になる程度に設計した外殻を鋼板のパネルでケーソンと同様に船台で組み立てる。底の鋼板には長手方向の中心ラインに一定間隔で高さ数メートルの鋼管を取り付け杭を海底に打ち込むことが出来るようにしておく。その場合鋼管の底は板などで海水が入らないように塞いでおく。［【００１１】  この場合は側面の鋼板パネルは継ぎ目から海水が入らないように防水対策を施し、底にコンクリートを杭を打ち込む鋼管の上部付近まで打設する。【００１２】  コンクリートが固まった段階で船台でから引き出し設置場所まで曳航し、鋼管に杭を挿入し、先に設置したケーソンの前面に密着させて海底に設置する。【００１３】  すべての鋼管に挿入した杭を海底に杭打ち機で打ち込む。その場合杭の頂部は海底から半分程度の深さとする。【００１４】  次に海底に固定した壁型防波堤の鋼製外殻の奥のケーソンの側に同じ断面形状の半割りの上部外殻を取り付ける。この上部は開口形式でよい。【００１５】  次に内部の杭に津波に耐える強度の鋼鉄製構造物の鋼管を一体的に挿入する。【００１６】  次にコンクリートを下部の外殻の上端まで打設する。【００１７】  次に下部外殻の手前側にも同じ形状の半割りの上部の外殻を取り付け、後方の上部の外殻ともボルトや溶接で固定する。【００１８】  次に上からコンクリートを打設して内部の鋼鉄製の構造物と一体の壁型防波堤を建造する。【００１９】  壁型防波堤が完成した段階でその前面に先に設置したケーソンと同じ要領でケーソンを壁型の防波堤に密着させて設置し、内部に鉄鉱石や岩石などを投入しすべてが完了すると上部をコンクリートで被覆する。【００２０】  この前方に設置したケーソンは津波に対し二つの役割を果たす。ひとつは津波を受け止める点である。他は壁型防波堤の上部が津波を受けた場合、後方のケーソンの上端を支点に下端が前方に跳ね上がるが、前方に設置したケーソンはそれを抑える役割を果たす。またそれだけの重量となるように設計する。【００２１】  それぞれのケーソンや壁型の防波堤は固結ぜすそれぞれ独立した状態で設置する。それぞれの海底の条件も重量も異なり設置した後の沈降速度が異なる。その結果堤防を一体化させると防波堤に亀裂などが入り強度が落ちることを防ぐためである。【００２２】  水深が深く海底が軟弱な場所で海上空港などを津波の直撃から守るには、まず地震でそれが崩壊しないようにし、次に津波の力に耐えかつ海水を前面に防波堤でダムのように貯えることが必要である。ダムのように貯えるにはまず津波の水平方向の押す力に耐えられる抵抗力が防波堤に必要であり、それは前方と後方のケーソンの重量��摩擦力及び壁型の防波堤の底に打ち込んだ杭の水平方向の抵抗力を合わせたものとなる。この方式の利点は二つのケーソンと壁型の防波堤で構成される防波堤を直接海底に設置しており、かつ内部に鉄鉱石を詰めているためにケーソンが海底に沈降して摩擦力が増加しており、防波堤の津波への抵抗力が時間と共に増大し、また全体が崩れる恐れが極めて少ない点である。【００２３】  かつ津波の危険性が高まって防波堤の建設に時間的余裕がない場合、複数の船台でケーソンを同時に建造でき、かつ何か所からも同時に設置できるので完成までの工期を著しく短くすることもできる。
【発明の効果】
【００２４】  本発明によれば従来では十年以上の工期が必要となる、かなり水深のある軟弱な海底にその半分程度の期間に海面上３０メートルの高さを有する、１０メートル程度の高さの津波にもたえる強固な津波対策用防波堤を構築できる。
【図面の簡単な説明】
【００２５】
【図１】本発明の一実施例を示す津波対策用防波堤の一部外観図
【図２】本発明の一実施例を示す津波対策用防波堤の断面図
【図３】本発明の一実施例を示す津波対策用防波堤のケーソンの鋼板製外殻の断面を示す斜視図
【図４】本発明の一実施例を示す津波対策用防波堤の壁型防波堤の下部の外殻の一部切欠断面の斜視図
【図５】本発明の一実施例を示す津波対策用防波堤の後方のケーソンの前面に壁型防波堤の下部外殻を設置し、かつ鋼管から杭を打ち込んだ状態を示す一部切欠断面の斜視図
【図６】本発明の一実施例を示す図５の状態で杭に津波用の鋼鉄製の構造物を取り付けた状態を示す一部切欠断面の斜視図
【図７】本発明の一実施例を示す壁型防波堤の内部に取り付ける鋼鉄製の構造物の後部からの一部斜視図
【図８】本発明の一実施例を示す津波対策用防波堤の壁型防波堤の上部外殻鋼板の前後一対の一部斜視図
【発明を実施するための形態】
【００２６】  添付の図面を参照に本発明の実施の形態について以下に説明する。
【００２７】  図１は本発明の実施形態に係る津波用防波堤の全体構成を示し、全長は数百メートルから数キロメートルで、全体は直線の場合と津波を内部に貯える形で半円形に近い形状があるが、それぞれ後方のケーソン１、前面のケーソン２、及び中央の壁型防波堤３を連続して海底に直接設置して構築する。
【００２８】  後方のケーソン１、前面のケーソン２は内部に鉄鉱石や砕石４など比重の重いものを詰めて海底との摩擦力を高め、かつ図２に示すように壁型防波堤３は底部から杭５を多数打ち込んで津波に押し流される力を高める。その場合、後方のケーソン１は前面のケーソン２よりも高くし、壁型防波堤３が津波で押し倒されることに対抗できる重量とする。
【００２９】  後方のケーソン１、前面のケーソン２は図３に示すように外殻鋼板６を組み立て、その内部に内側の鋼板７をその下部が外殻の底から離れた状態で外殻鋼板６にサポート金具１４で取り付ける。次にコンクリート１５を内側の鋼板７の下端より少し上の位置まで打設し、固化した段階で外郭の側壁内部にコンクリート１５を全体の半分の高さまで打設する。それが固化した段階で船台から海に引き出し曳航し、所定の位置で海水を注入して沈める。次にコンクリートを外殻鋼板６の内側全体に打設しケーソンの側壁を完成させる。次に内部の空間に鉄鉱石や砕石４などを投入し上部をコンクリート１５を打設して完成させるが、それに時間を要する場合にはケーソンの最上部まで海水を注入しておく。
【００３０】  図４に示すように壁型防波堤３はまず下部外殻９をケーソン同様に外殻鋼板６を組み立て製作する。その場合、底部には杭の挿入用鋼管８を取りつけておく。その穴は海水が入らないように板などで塞いでおく。次に組立が終わった後、コンクリート１５を杭挿入用鋼管８の下まで打設して固める。この場合外殻の鋼板６のそれぞれの接合部はボルト締めでよいがゴムや塗料などで簡単な防水対策は施しておく。これにより壁型防波堤３の下部外殻９は曳航時の安定性が維持できる。
【００３１】  次に図５に示すように壁型防波堤の下部外殻９を後方のケーソン１の前面に曳航し内部に海水を注入して海底に設置する。次に挿入用鋼管８に杭５を挿入して打ち込む。杭の頂部は壁型防波堤の下部外殻９の半分程度の高さとする。
【００３２】  それが終わった段階で図６に示すように壁型防波堤の下部外殻９の上に上部後方外殻１２を取りつける。次に壁型防波堤３の津波への耐力壁の骨格をなす鋼鉄製の構造物１０を杭５の上部から挿入する。鋼鉄製の構造物１０には杭５に嵌め合う鋼管１１が取りつけてある。挿入が終わるとコンクリート１５を下部外殻９の上まで打設する。次に下部外殻９の壁型防波堤の上部前面の外殻１３を取り付ける。
【００３３】  その後壁型防波堤３の上部外殻内部全体にコンクリート１５を打設し鋼鉄製の構造物１０を含め全体を一体化させて完成させる。図２に壁型防波堤３の断面を示してある。
【００３４】  次に壁型防波堤３の前面にケーソン２を設置する。製作、設置の手順は後方のケーソン１と同じである。
【００３５】  本発明の実施形態によれば、海上空港や臨海コンビナートが高い津波の来襲受けた場合、津波対策で建設した防波堤が地震で崩壊する危険性はまずなく、膨大な津波は防波堤内部に貯えられて阻止できる。多少津波用防波堤の両端から奥に津波が回り込んでもその量は多くなく海上空港や臨海コンビナートの被害は著しく軽減できる。つまり津波の破壊力は水量とその速度が合成されたものであるがそのいずれをも抑えられ著しく被害を軽減することができる。その後方の津波による水位の上昇も抑えることができ海上空港やコンビナートのプラントの被害を著しく軽減できる。
また湾内では数回押し寄せる津波が蓄積され次第に湾全体、特に湾奥で水位が上昇する。これが海上空港やコンビナートのプラントの被害を増長するがこの津波用防波堤を構築することで津波一回ごとに引き波で湾外に押し戻し、湾内への蓄積を阻止する。これもこの津波用防波堤の効用である。
【符号の説明】
【００３６】１    後方のケーソン
２    前面のケーソン
３    壁型防波堤
４    鉄鉱石や砕石
５    杭
６    外殻鋼板
７    内側の鋼板
８    壁型防波堤の底部の杭挿入用鋼管
９    壁型防波堤の下部外殻
１０  鋼鉄製の構造物
１１  鋼鉄製の構造物の鋼管
１２  壁型防波堤の上部後方外殻
１３  壁型防波堤の上部前面外殻
１４  内側の鋼板のサポート金具
１５  コンクリート
【図１】
2019143455.tif 000003
【図２】
2019143455.tif 000004
【図３】
2019143455.tif 000005
【図４】
2019143455.tif 000006
【図５】
2019143455.tif 000007
【図６】
2019143455.tif 000008
【図７】
2019143455.tif 000009
【図８】
2019143455.tif 000010